(57)【特許請求の範囲】
【請求項１】
平面視して矩形の筒状の胴部と、前記胴部の下端を塞ぐ矩形の底部と、前記胴部の上端に縫着され、充填物を前記胴部に投入するため１つの対角線上にスリット状に設けられた投入口を有する矩形の蓋部と、前記底部の下面に、前記底部の各辺の中間部近傍を頂点として縫着された正方形の補強布枠と、
前記補強布枠の四隅部にそれぞれの下端部が連結され、４本の吊ベルトとを備えた直方体フレコンバッグであって、
前記補強布枠は、前記四隅部を残して前記底部の下面に縫着され、
前記４本の吊ベルトの下端部は、前記補強布枠の対応する隅部に巻き掛け状態で連結されて、前記底部の外周部分のうち、前記補強布枠の対応する隅部の付近に縫着されるとともに、
隔壁ベルトが、前記筒状の胴部の４面の内周面の高さ方向のそれぞれの中間部近傍にある前記４面の外周面の中間部にある前記４本の吊ベルトと前記胴部を介してそれぞれの４面に縫着されていることを特徴とする直方体フレコンバッグ。
【請求項２】
請求項１に記載の直方体フレコンバッグにおいて、前記スリット状に設けられた蓋部には、ファスナが縫着されてスライダで開閉されることを特徴とする直方体フレコンバッグ。
【請求項３】
請求項１又は２に記載の直方体フレコンバッグにおいて、前記４本の吊ベルトの中間部を重ねて蓋部の四辺の中間部にそれぞれ吊フックが形成され、前記吊フックを結束ロープがそれぞれ環状に連通して結束されていることを特徴とする直方体フレコンバッグ。
【発明の詳細な説明】
【技術分野】
【０００１】
本発明は、灌漑や治水工事、自然災害の復旧工事等の土嚢として用いられて、特に、複数個積み重ねて使用するときに、積み重ね易い安定した形状を維持できる直方体フレコンバックに関する。
【背景技術】
【０００２】
灌漑や治水工事、台風や大雨にともなう自然災害の復旧工事等で、土嚢の積み上げ作業が行われるが、土嚢は、麻袋やポリエチレン製やポリプロピレン製等の袋状、網状等の耐久性に優れた直方体バッグに、土砂を詰め込み、紐等によりその袋の口を塞ぐようにしたものである。工事用の土嚢では、大きいものになるとその重さが１トン程度にもなり、土嚢の運搬には、クレーン車やバックホーが使用されて、複数の土嚢を並べて、積み重ねて使用することが多い。
【０００３】
また、直方体バッグにおいては、内部に土砂が詰め込まれる直方体形状の直方体バックと、その一端が直方体バックの底面の内側の中心に固定された第１の吊下体と、各一端が直方体バックの底面の４つの頂点の対角線上で中心から所定距離隔たった点にそれぞれ固定され、その各他端が第１の吊下体に固定された第２〜第５の吊下体とを備えるようにしたものもあった（例えば、特許文献１参照）。
【先行技術文献】
【特許文献】
【０００４】
【特許文献１】特許第３９４９１５６号公報
【発明の概要】
【発明が解決しようとする課題】
【０００５】
例えば、直方体バックの一端が直方体バックの底面の内側の中心に固定された第１の吊下体と、各一端が直方体バックの底面の４つの頂点の対角線上で中心から所定距離隔たった点にそれぞれ固定され、その各他端が第１の吊下体に固定された第２〜第５の吊下体とを備えるようにしたので、第１の吊下体を上方に突出させるためには、第１の吊下体を直立させながら、直方体バッグの内部に土砂が詰め込み、詰め込んだ後も、できるだけ安定した直方体形状を保ち、並べて積み重ねて使用できるようにする必要があった。
【０００６】
本発明はかかる事情に鑑みてなされたもので、土砂の詰め込みが容易で、安定した形状を維持できる直方体フレコンバックを提供することを目的とする。
【課題を解決するための手段】
【０００７】
前記目的に沿う請求項１記載の直方体フレコンバックは、平面視して矩形の筒状の胴部と、前記胴部の下端を塞ぐ矩形の底部と、前記胴部の上端に縫着され、充填物を前記胴部に投入するため１つの対角線上にスリット状に設けられた投入口を有する矩形の蓋部と、前記底部の下面に、前記底部の各辺の中間部近傍を頂点として縫着された正方形の補強布枠と、前記補強布枠の四隅部にそれぞれの下端部が連結され、４本の吊ベルトとを備えた直方体フレコンバッグであって、前記補強布枠は、前記四隅部を残して前記底部の下面に縫着され、前記４本の吊ベルトの下端部は、前記補強布枠の対応する隅部に巻き掛け状態で連結されて、前記底部の外周部分のうち、前記補強布枠の対応する隅部の付近に縫着されるとともに、隔壁ベルトが、前記筒状の胴部の４面の内周面の高さ方向のそれぞれの中間部近傍にある前記４面の外周面の中間部にある前記４本の吊ベルトと前記胴部を介してそれぞれの４面に縫着されている。
【０００８】
請求項２記載の直方体フレコンバックは、前記スリット状に設けられた蓋部には、ファスナが縫着されてスライダで開閉される。
【０００９】
請求項３記載の直方体フレコンバックは、請求項１又は２記載の直方体フレコンバックにおいて、前記４本の吊ベルトの中間部を重ねて蓋部の四辺の中間部にそれぞれ吊フックが形成され、前記吊フックを結束ロープがそれぞれ環状に連通して結束されている。
【発明の効果】
【００１０】
請求項１記載の直方体フレコンバックにおいては、矩形の４面の胴部に隔壁ベルトが、４面の胴部の内周面の高さ方向の中間位置であって、４面の外周面の中間部にある４本の吊ベルトと胴部を介してそれぞれの４面に縫着されていることにより、内容物を充填しても胴部のふくらみが抑えられ安定した形状を維持できる。
【００１１】
特に、請求項２記載の直方体フレコンバックにおいては、前記スリット状に設けられた蓋部には、ファスナが縫着されてスライダで開閉されるので、土砂が詰め込み用の投入口用の導入部材が不要となり、蓋部から土砂の詰め込みが容易にできるようになる。さらに、蓋部の上部へのでっぱりが抑えられ、上方の並べて積み重ねができるようになる。
【００１２】
特に、請求項３記載の直方体フレコンバックにおいては、前記４本の吊ベルトの中間部を重ねて蓋部の四辺の中間部にそれぞれ吊フックが形成され、前記吊フックを結束ロープがそれぞれ環状に連通して結束されているので、蓋部のファスナに係る開口する方向に係る力を、吊フックと結束ロープに分散して蓋部のファスナを保護することができる。
【図面の簡単な説明】
【００１３】
【図１】本発明の一実施の形態に係る直方体フレコンバッグを示す説明図である。
【図２】同直方体フレコンバッグの蓋部の説明図である。
【図３】同直方体フレコンバッグの底部の説明図である。
【図４】同直方体フレコンバッグの変形例を示す隔壁ベルトの説明図である。
【発明を実施するための形態】
【００１４】
続いて、添付した図面を参照しつつ、本発明を具体化した実施の形態につき説明し、本発明の理解に供する。
ここで、図１は本発明の一実施の形態に係る直方体フレコンバックを示す説明図、図２は同直方体フレコンバッグの蓋部の説明部、図３は同直方体フレコンバッグの底部の説明図、図４は同直方体フレコンバッグの材質及び規格・寸法の表である。
【００１５】
図１、図２、図３において、本発明の実施例に係る直方体フレコンバッグ２０の構成を説明する。この直方体フレコンバッグ２０は、断面が矩形の胴部１と、胴部１の下端に設けられこれを塞ぐ矩形の底部５とを有したバッグ本体２１（附番せず）と、胴部１の上端に設けられ、土砂（充填物）を胴部１に投入するために対角線に沿って開口しているファスナ７によるスリットを有する矩形の蓋部２と、矩形の底部５の下面に、各辺の中点部近傍の中間部（４つの中間部）に底フック（附番せず）が連結されている。
【００１６】
そして、胴部１の内周面の４面の側面の中心部近傍には、それぞれに隔壁ベルト１０の一部が縫着されており、隔壁ベルト１０は、隣り合う各側面を引き合うように繋いでいる。その結果、胴部１の膨らみを抑制している。また、胴部１の外周面の４面の側面の上端部には、胴部１の上端部と本体補強布１１を介して４本の吊ベルト３が縫着され設けられている。
【００１７】
次に、蓋部２は、対角線に沿って開口しているファスナ７によるスリットには、スライダ８によって開閉自在で、土砂（充填物）を迅速に充填できる。なお、スライダ８によるファスナ７ｂの開口部（スリット、スリット状）を開閉を容易に迅速に行うために設けられている。
また、蓋部２の各辺の中点部近傍の中間部（４つの中間部）に吊フック４が形成され連結されている。
【００１８】
ここでいう底部５の下面に、底部５の各辺の中間部近傍を頂点として縫着された正方形の補強布枠６（底ベルト）が設けられている。つまり、底部５の下面の各辺の中間部近傍を結んで、正方形の補強布枠６の四隅を配置し、この状態で底部５の下面に補強布枠６を（四隅部を残して）縫着している。
【００１９】
補強布枠６は、各種の化学繊維などからなる織布を、所定幅の正方枠状（正方形の枠状）に裁断したものである。補強布枠６の各辺部のうち、両端部を除く部分（長さ方向の中間部分）のみが、底部５の下面に縫着されることを意味する。すなわち、補強布枠６の四隅部は底部５に縫着されておらず、これらの部分は湾曲自在な４本の短尺な吊り紐部を構成している。さらに、補強布枠６の吊り紐部をそれぞれ連結して、４本の吊フック４を設けられている。なお、ここでの、直方体フレコンバッグ２０は、底面が１０００ｍｍ×１０００ｍｍで、高さが５００ｍｍである。
【００２０】
次に、本発明の実施例に係る直方体フレコンバッグ２０の各部の材質や規格・寸法について、説明する。バッグ本体２１は、材質はＰＰ（ポリプロピレン）で、１５００  Ｄ１５×１５であり、通常のラミネート加工を施さないことにより、表面の光沢が抑えられるラミ無しの黒色を使用している。胴部１、底部５は、バッグ本体２１の一部なので、同じである。蓋部（充填口）２は、ＰＥ（ポリエチレン）で、１０００  Ｄ１０×１０であり、両面がラミネート加工を施している黒色を使用している。吊ベルト３は、材質はＰＰ（ポリプロピレン）で、１００ｍｍ巾の黒色で１００ｍｍの長さである。吊フック４は、材質はＰＰ（ポリプロピレン）で、７０ｍｍ巾の黒色で１００ｍｍの長さである。補強布枠（底ベルト）６は、１００ｍｍ巾の黒色で２８００ｍｍの長さである。結束ベルト９は、太さは６φで金剛打ちの白色である。隔壁ベルト１０は、材質はＰＰ（ポリプロピレン）で、７０ｍｍ巾の黒色で１００ｍｍの長さである。本体補強布１１は、１５００  Ｄ１５×１５であり、ラミネート加工を施している黒色であり、２００ｍｍ×３００ｍｍの大きさである。
【００２１】
以下、直方体フレコンバッグ２０の詳細を具体的に説明する。
図１、図２、図３に示すように、胴部１は、１５００ｄｅのポリプロピレン繊維からなる織布を所定形状に裁断し、かつ適宜縫製することで作製された一辺が１ｍの正方形で、高さ０．５ｍの矩形の筒である。また、底部５は、胴部１と同一素材からなる一辺が１ｍの正方形の布である。さらに、蓋部２は、胴部１、底部５と同一素材からなり、一辺が１ｍの正方形の布である。蓋部２には、吊フック４が設けられているので、吊フック４を介して、周方向に縛って直方体フレコンバッグ２０を封止する結束ロープ１９を設けてもよい。
吊ベルト３は、補強布枠（底ベルト）６が通る巾を残して底部５の下面に縫着されている。すなわち、補強布枠６の四隅部は底部５に縫着されておらず、補強布枠６の各辺部の中間部分のみが底部５の下面に縫着されている。また、補強布枠６の四隅部は、幅方向に２つ折りされている。これにより、補強布枠６の各隅部は、湾曲自在な４本の短尺な吊り紐部を構成している。また、補強布枠６の対向する辺部間の最短距離（補強布枠６の対向する２つの辺部の中間点を結んだ長さ）は、底部５の一辺の半分（５０％）の長さとしている。
【００２２】
４本の吊ベルト３は、長さ１０００ｍｍ、幅１００ｍｍのポリプロピレン短繊維からなる厚布の帯材である。４本の吊ベルト３の下端部は、補強布枠６の対応する隅部に隙間なく巻き掛けられ、この状態を保持するように、底部５の外周部分のうち、補強布枠６の対応する隅部付近に縫着される。
また、４本の吊ベルト３の上端部は胴部１の上端から上方へ突出し、これらの突出部分は、それぞれ折り返して各端部を胴部１の上端部に、補強布片２１を介して縫着されている。これにより、バッグ本体２１の上端には、その矩形の四辺の中間部から４つ吊り輪部１２が設けられる。そして、その長さは５００ｍｍである。
さらに、４本の吊ベルト３の上端部からの更なる突出し部分である吊フック４も、蓋部２の４辺へ同様に４つ形成され設けられている。その長さは７０ｍｍである。
また、胴部１の内部空間には、隔壁ベルト１０が設けられている。隔壁ベルト１０は、胴部１の４面の内周面のそれぞれの中心部近傍（面の対角線の中心点近傍）に、隣り合う互いの内周面を引張り合い、平面視して二等辺三角形の底辺となるようにそれぞれ逢着されている。
【００２３】
図４は、同直方体フレコンバッグの変形例を示す隔壁ベルトの説明図であり、隔壁ベルト１０が取り付けられた状態を平面視して、八角形になっている。胴部１の外周面に４本の吊りベルト１３があり、胴部の内周面に、吊ベルト３の幅に合わせて、隔壁ベルト１０が胴部１に面で接するようにして、隔壁ベルト１０は、その接する面で、吊ベルト３と胴部１を介して縫着されている。このように、吊ベルト３の幅に合わせて隔壁ベルト１０を面で縫着することにより、土砂の詰め込みがあっても胴部１の正方形の形状を保持する力が上がってくる。あまり強度を必要としない場合には、本発明の実施例にように、隔壁ベルト１０の幅で胴部１といわゆる線状で接するようにして、隔壁ベルト１０は、その線状で、吊ベルト３と胴部１を介して縫着してもよい。
【００２４】
次に、図１〜図３を参照して、この発明の実施例に係るフレコンバッグ１０の使用方法を説明する。
図１に示すように、現場において、ユンボを用いて土砂（充填物）を、直方体フレコンバッグ２０の中に、ファスナ７によるスリットを開いた状態で順次投入し、これに土砂を充填する。土砂の充填完了後、作業者がスライダ８を移動して、ファスナ７を閉じて、さらに結束紐１９を用いて蓋部２を縛る。その後、作業者はユンボのバケットに、例えば、４本の吊りベルト１３のそれぞれに一本のまとめロープ（図示せず  １８φ三つ編み等）を通して結束して、これに引っ掛け、操縦者の操縦により、ユンボのアームを所定方向に回動して直方体フレコンバッグ２０を吊り上げ、これをトラックの荷台に積み込む。
【００２５】
その際、正方形の補強布枠６は、バッグ本体２１の底部５の下面に、補強布枠６の四隅部を残して縫着されている。また、補強布枠６の四隅部には、対応する吊ベルト３の下端部がそれぞれ巻き掛けられ、その後、各吊ベルト３は、底部５の外周部分のうち、補強布枠６の対応する隅部の付近にそれぞれ縫着されている。したがって、各吊ベルト３の下端部と補強布枠６の対応する隅部との連結は、従来の縫着による固定ではなく、補強布枠６の未縫着状態となった隅部の可動範囲の分だけ、自由度を有した連結となる。
【００２６】
そのため、土砂が充填されたバッグ本体２１を吊上げた際、４本の吊ベルト３は、補強布枠６の未縫着状態となった四隅部の可動範囲内で、バッグ本体２１の吊り位置の直下に、可能な限り土砂が充填されたバッグ本体２１の重心が配置されるように、それぞれの吊ベルト３の高さ位置を自動補正する。これにより、４本の吊ベルト３には略均一な荷重が作用し、バッグ本体２１に充填された土砂の偏荷重を原因とする吊ベルト３およびこの吊ベルト３とバッグ本体２１との縫着部の破断を防止することができる。
【００２７】
また、補強布枠６の四隅部をその幅方向に折り曲げ、この折り曲げ状態を保持するように、４本の吊ベルト３の下端部を補強布枠６の対応する隅部にそれぞれ巻き掛けるようにしたため、補強布枠６の四隅部の強度が高まり、充填物の偏荷重を原因とした吊ベルト３およびこの吊ベルト３とバッグ本体２１との縫着部の破断防止効果をさらに高めることができる。
さらに、胴部１は、隔壁ベルト１０が胴部の隣り合う４面間の中間部を最短距離で結ぶため、隔壁ベルト１０が、充填された土砂が胴部を膨らませようとする力を支えるようになる。その結果、直方体フレコンバッグ２０が、平面視して正方形形状を保つことにより、安定した直方体形状を保ち、並べて積み重ねて使用できることができる。
【産業上の利用可能性】
【００２８】
この発明は、土木工事等の土嚢として用いられて、特に、複数個積み重ねて使用するときに、積み重ね易い安定した形状を維持できる直方体フレコンバックとして有用である。
【符号の説明】
【００２９】
１：胴部、２：蓋部（充填口）、３：吊ベルト、４：吊フック、５：底部、６：補強布枠（底ベルト）、７：ファスナ、８：スライダ、９：結束ベルト、１０：隔壁ベルト、１１：本体補強布、１２：吊り輪部、２０：直方体フレコンバッグ、２１：バッグ本体、
【図１】
0006604698.tif 000002
【図２】
0006604698.tif 000003
【図３】
0006604698.tif 000004
【図４】
0006604698.tif 000005